【手続補正書】
【提出日】平成28年6月1日(2016.6.1)
【手続補正１】
【補正対象書類名】特許請求の範囲
【補正対象項目名】全文
【補正方法】変更
【補正の内容】
【特許請求の範囲】
【請求項１】
第１ローラと、
第１端部および第２端部を有し、前記第１ローラとの係合状態へ入ったり出たりして、前記第１ローラに圧力を加えるように構成された第２ローラと、
前記第２ローラの前記第１端部を支持し、前記第２ローラの前記第１端部に第１モーメントを加えるように構成された第１旋回可能環状体と、
前記第２ローラの前記第２端部を支持し、前記第２ローラの前記第２端部に第２モーメントを加えるように構成された第２旋回可能環状体と、
を含む、間接プリンタ。
【請求項２】
前記第１旋回可能環状体に動作可能に接続された第１端部、および前記第２旋回可能環状体に動作可能に接続された第２端部を有する部材と、
前記部材に動作可能に接続されたアクチュエータであって、前記部材の前記第１端部および前記第２端部に作用し、前記第１旋回可能環状体および前記第２旋回可能環状体を動かして、前記第２ローラの前記第１端部および前記第２端部に前記第１モーメントおよび前記第２モーメントを加えるように構成されたアクチュエータと、
をさらに含む、請求項１に記載の間接プリンタ。
【請求項３】
前記部材は、当該部材の前記第１端部と当該部材の前記第２端部の間に旋回軸を有する、請求項２に記載の間接プリンタ。
【請求項４】
前記アクチュエータは、前記旋回軸において前記部材に動作可能に接続されて、前記第１旋回可能環状体および前記第２旋回可能環状体を動かす、請求項３に記載の間接プリンタ。
【請求項５】
前記アクチュエータに動作可能に接続され、前記アクチュエータに作用して前記旋回軸を駆動させて、前記部材の前記第１端部と前記第２端部の間の角度を変化させるように構成されたコントローラをさらに含む、請求項４に記載の間接プリンタ。
【請求項６】
前記コントローラは、印刷予定の画像用のしわパラメータを特定し、検出された前記しわパラメータを基準として前記アクチュエータを動かすようにさらに構成される、請求項５に記載の間接プリンタ。
【請求項７】
前記第１ローラと前記第２ローラの少なくとも一方は、薄壁を有する円筒体を含む、請求項６に記載の間接プリンタ。
【請求項８】
前記第１旋回可能環状体に固定して結合された第１アームと、
前記第２旋回可能環状体に固定して結合された第２アームと、
ねじ式バーを支持する梁と、
前記ねじ式バーに動作可能に接続されたアクチュエータであって、前記梁に対して前記ねじ式バーを回転させるように構成された第１アクチュエータと、
前記第１アームと接触しているアプリケータであって、前記ねじ式バーが回転するとき、前記ねじ式バーおよび前記第１アームに沿ってスライドするように構成された第１圧力アプリケータと、
前記第２アームと接触しているアプリケータであって、前記ねじ式バーが回転するとき、前記ねじ式バーおよび前記第２アームに沿ってスライドするように構成された第２圧力アプリケータと、
をさらに含む、請求項１に記載の間接プリンタ。
【請求項９】
前記ねじ式バーの第１の側は右ねじを含み、前記ねじ式バーの第２の側は左ねじを含み、前記第１圧力アプリケータは、前記第１の側と前記第２の側のうちの一方に回転可能に連結され、前記第２圧力アプリケータは、前記第１の側と前記第２の側のうちの他方に回転可能に連結される、請求項８に記載の間接プリンタ。
【請求項１０】
前記第１アクチュエータは、前記ねじ式バーを回転させて、前記第１アームに沿った位置に前記第１圧力アプリケータを配置すると共に、前記第２アームに沿った位置に前記第２圧力アプリケータを配置するように構成される、請求項８に記載の間接プリンタ。
【請求項１１】
前記梁に動作可能に接続された第２アクチュエータであって、前記第１圧力アプリケータを通って前記第１アームまで達しかつ前記第２圧力アプリケータを通って前記第２アームまで達する圧力を、前記梁に加えるように構成された第２アクチュエータをさらに含む、請求項１０に記載の間接プリンタ。
【請求項１２】
前記第１アクチュエータおよび前記第２アクチュエータに動作可能に接続され、前記第１アクチュエータおよび前記第２アクチュエータに作用して前記ねじ式バーを回転させて、前記第１アームと前記第２アームに圧力を加えるように構成されたコントローラをさらに含む、請求項１１に記載の間接プリンタ。
【請求項１３】
前記コントローラは、指定された媒体上に印刷される予定の画像用のしわパラメータを特定し、検出された前記しわパラメータを基準として前記第１アクチュエータおよび第２アクチュエータを駆動するようにさらに構成される、請求項１２に記載の間接プリンタ。
【請求項１４】
前記第１ローラと前記第２ローラの少なくとも一方は、薄壁を有する円筒体を含む、請求項１３に記載の間接プリンタ。
【請求項１５】
間接プリンタに着脱可能に挿入するローラ組立品であって、
第１端部および第２端部を有する薄壁ローラと、
前記ローラの前記第１端部を支持する環状体であって、前記ローラの前記第１端部に第１モーメントを加えるように構成された第１旋回可能環状体と、
前記ローラの前記第２端部を支持する環状体であって、前記ローラの前記第２端部に第２モーメントを加えるように構成された第２旋回可能環状体と、
前記第１旋回可能環状体および前記第２旋回可能環状体に動作可能に接続されたアクチュエータであって、前記第１旋回可能環状体および前記第２旋回可能環状体を旋回させて、前記ローラの前記第１端部および前記第２端部に前記第１モーメントおよび前記第２モーメントを加えるように構成されたアクチュエータと、
を含む、ローラ組立品。
【請求項１６】
前記第１旋回可能環状体に動作可能に接続された第１端部、および前記第２旋回可能環状体に動作可能に接続された第２端部を有する部材と、
前記部材に動作可能に接続されたアクチュエータであって、前記部材の前記第１端部および前記第２端部に作用し、前記第１旋回可能環状体および前記第２旋回可能環状体を動かして、前記ローラの前記第１端部および前記第２端部に前記第１モーメントおよび前記第２モーメントを加えるように構成された前記アクチュエータと、
をさらに含む、請求項１５に記載のローラ組立品。
【請求項１７】
前記部材は、当該部材の前記第１端部と前記第２端部の間に旋回軸を有する、請求項１６に記載のローラ組立品。
【請求項１８】
前記アクチュエータは、前記旋回軸において前記部材に動作可能に接続されて、前記第１旋回可能環状体および前記第２旋回可能環状体を動かす、請求項１７に記載のローラ組立品。
【請求項１９】
前記アクチュエータは、前記旋回軸を駆動して、前記部材の前記第１端部と前記第２端部の間の角度を変化させるように構成された、請求項１８に記載のローラ組立品。
【請求項２０】
前記第１旋回可能環状体に固定して結合された第１アームと、
前記第２旋回可能環状体に固定して結合された第２アームと、
ねじ式バーを支持する梁と、
前記ねじ式バーに動作可能に接続されたアクチュエータであって、前記梁に対して前記ねじ式バーを回転させるように構成された第１アクチュエータと、
前記第１アームと接触しているアプリケータであって、前記ねじ式バーが回転するとき、前記ねじ式バーおよび前記第１アームに沿ってスライドするように構成された第１圧力アプリケータと、
前記第２アームと接触しているアプリケータであって、前記ねじ式バーが回転するとき、前記ねじ式バーおよび前記第２アームに沿ってスライドするように構成された第２圧力アプリケータと、
をさらに含む、請求項１５に記載のローラ組立品。
【請求項２１】
前記梁に動作可能に接続された第２アクチュエータであって、前記第１圧力アプリケータを通って前記第１アームまで達しかつ前記第２圧力アプリケータを通って前記第２アームまで達する圧力を、前記梁に加えるように構成された第２アクチュエータをさらに含む、請求項２０に記載のローラ組立品。